(57)【要約】 【課題】  ＩＴＵ−Ｒ６５６を基礎としつつ、輝度データ，色差データ，同期データ及び識別コードを伝送クロックの２倍のレートにしたようなフォーマットの映像データから、輝度データと色差データとを分離するとともに、同期データを検出する。【解決手段】  伝送クロックの立上りタイミングでこの映像データを取り込む第１の取込み手段１と、この伝送クロックの立下りタイミングでこの映像データを取り込む第２の取込み手段２と、第１の取込み手段１の出力データと第２の取込み手段２の出力データとのタイミングを揃え、これらのタイミングを揃えた信号からこの識別コードの有無を判断し、この識別コードがあったタイミングでこの同期データを検出する検出手段７とを備える。【選択図】  図１
2005354186.tif 000002
【特許請求の範囲】
【請求項１】
輝度データと色差データとが時分割多重化され、映像期間の開始及び終了を示す同期データと、前記同期データを識別するための識別コードとが付加され、前記輝度データ，前記色差データ，前記同期データ及び前記識別コードを伝送クロックの２倍のレートにしたフォーマットの映像データから、前記輝度データと前記色差データとを分離する映像デコーダにおいて、
前記映像データとともに入力される伝送クロックの立ち上がりタイミングで前記映像データを取り込む第１の取込み手段と、
前記伝送クロックの立下りタイミングで前記映像データを取り込む第２の取込み手段と、
前記第１の取込み手段の出力データと前記第２の取込み手段の出力データとのタイミングを揃え、該タイミングを揃えた信号から前記識別コードの有無を判断し、前記識別コードがあったタイミングで前記同期データを検出する検出手段と
を備えたことを特徴とする映像デコーダ。
【請求項２】
請求項１に記載の映像デコーダにおいて、
前記映像データは、１つの前記同期データについて前記識別コードを３つ付加されており、
前記検出手段は、前記第１の取込み手段の現在の出力データと、前記第１の取込み手段の１クロック前の出力データと、前記第２の取込み手段の現在の出力データと、前記第２の取込み手段の１クロック前の出力データとのタイミングを揃え、該タイミングを揃えた４つのデータのうちの３つのデータが前記識別コードであったタイミングで残りの１つのデータを前記同期データとして検出する
ことを特徴とする映像デコーダ。
【請求項３】
請求項１に記載の映像デコーダにおいて、
前記映像データは、ＩＴＵ−Ｒ６５６を基礎としつつ、前記輝度データ，前記色差データ，前記同期データ及び前記識別コードを伝送クロックの２倍のレートにしたフォーマットの映像データであることを特徴とする映像デコーダ。
【請求項４】
請求項１に記載の映像デコーダにおいて、
前記第１の取込み手段，前記第２の取込み手段のうちのいずれか一方の出力データのみから前記同期データを検出する第２の検出手段
をさらに備え、
輝度データと色差データとが時分割多重化され、映像期間の開始及び終了を示す同期データと、前記同期データを識別するための識別コードとが付加され、前記輝度データ及び前記色差データを伝送クロックの２倍のレートにするとともに前記同期データ及び前記識別コードを伝送クロックと同じレートにしたフォーマットの第２の映像データが入力した場合には、前記第２の検出手段で前記同期データを検出することを特徴とする映像デコーダ。
【請求項５】
請求項５に記載の映像デコーダにおいて、
前記第２の映像データは、ＩＴＵ−Ｒ６５６を基礎としつつ、前記輝度データ及び前記色差データを伝送クロックの２倍のレートにするとともに前記同期データ及び前記識別コードを伝送クロックと同じレートにしたフォーマットの映像データであることを特徴とする映像デコーダ。
【請求項６】
輝度データと色差データとが時分割多重化され、映像期間の開始及び終了を示す同期データと、前記同期データを識別するための識別コードとが付加され、前記輝度データ，前記色差データ，前記同期データ及び前記識別コードを伝送クロックの２倍のレートにしたフォーマットの映像データから、前記輝度データと前記色差データとを分離する映像デコード方法において、
前記映像データとともに入力される伝送クロックの立ち上がりタイミングで前記映像データを取り込む第１の取込みステップと、
前記伝送クロックの立下りタイミングで前記映像データを取り込む第２の取込みステップと、
前記第１の取込みステップで取り込んだ信号と前記第２の取込みステップで取り込んだ信号とのタイミングを揃え、該タイミングを揃えた信号から前記識別コードの有無を判断し、前記識別コードがあったタイミングで前記同期データを検出する検出ステップと
を有することを特徴とする映像デコード方法。
【請求項７】
請求項６に記載の映像デコード方法において、
前記映像データは、１つの前記同期データについて前記識別コードを３つ付加されており、
前記第３ステップで、前記第１の取込みステップで現在取り込んでいる信号と、前記第１の取込みステップで１クロック前に取り込んだ信号と、前記第２の取込みステップで現在取り込んでいる信号と、前記第２の取込みステップで１クロック前に取り込んだ信号とのタイミングを揃え、該タイミングを揃えた４つのデータのうちの３つのデータが前記識別コードであったタイミングで残りの１つのデータを前記同期データとして検出する
ことを特徴とする映像デコード方法。
【請求項８】
請求項６に記載の映像デコード方法において、
前記映像データは、ＩＴＵ−Ｒ６５６を基礎としつつ、前記輝度データ，前記色差データ，前記同期データ及び前記識別コードを伝送クロックの２倍のレートにしたフォーマットの映像データであることを特徴とする映像デコード方法。
【請求項９】
請求項６に記載の映像デコード方法において、
前記第１の取込みステップ，前記第２の取込みステップのうちのいずれか一方のみで取り込んだ信号のみから前記同期データを検出する第２の検出ステップ
をさらに有し、
輝度データと色差データとが時分割多重化され、映像期間の開始及び終了を示す同期データと、前記同期データを識別するための識別コードとが付加され、前記輝度データ及び前記色差データを伝送クロックの２倍のレートにするとともに前記同期データ及び前記識別コードを伝送クロックと同じレートにしたフォーマットの第２の映像データが入力した場合には、前記第２の検出ステップで前記同期データを検出することを特徴とする映像デコード方法。
【請求項１０】
請求項９に記載の映像デコード方法において、
前記第２の映像データは、ＩＴＵ−Ｒ６５６を基礎としつつ、前記輝度データ及び前記色差データを伝送クロックの２倍のレートにするとともに前記同期データ及び前記識別コードを伝送クロックと同じレートにしたフォーマットの映像データであることを特徴とする映像デコード方法。
【発明の詳細な説明】
【技術分野】
【０００１】
本発明は、ＩＴＵ−Ｒ６５６規格等で規定されるフォーマットの映像データから輝度データと色差データとを分離するデコーダ及びデコード方法に関する。
【背景技術】
【０００２】
テレビジョン放送等におけるデジタルコンポーネント信号の標準的な規格としてＩＴＵ−Ｒ６０１が広く採用されているが、このＩＴＵ−Ｒ６０１を１０ビットまたは８ビットのパラレル伝送用に拡張した規格としてＩＴＵ−Ｒ６５６が存在している。現在、ＩＴＵ−Ｒ６５６は、４８０ｉ，５７６ｉというＳＤ（Standard Definition）信号にのみ適用されている。
【０００３】
図８は、このＩＴＵ−Ｒ６５６のフォーマットを、ＩＴＵ−Ｒ６０１と比較して示す図である。ＩＴＵ−Ｒ６０１では、周知の通り、輝度データＹのサンプリング周波数が１３．５ＭＨｚであり、色差データＣｒ（＝Ｒ−Ｙ）・色差データＣｂ（＝Ｂ−Ｙ）のサンプリング周波数が６．２５ＭＨｚである。そして、１水平ラインあたりの輝度データＹ，色差データＣｂ／Ｃｒのサンプリング数が、４８０ｉではそれぞれ８５８，４２９であり、５７６ｉではそれぞれ８６４，４３２である。また、１水平ラインあたりの輝度データＹ，色差データＣｂ／Ｃｒの有効画素数が、それぞれ７２０，３６０である。
【０００４】
ＩＴＵ−Ｒ６５６では、このＩＴＵ−Ｒ６０１における輝度データＹ，色差データＣｂ／Ｃｒを、輝度データＹの２倍のレートである２７ＭＨｚでＣｂ・Ｙ・Ｃｒ・Ｙ…の順に時分割多重化する。そして、１水平ラインごとに、映像期間（有効画素の範囲）の開始，終了を示す４ワードのＳＡＶ（Start of Active Video），ＥＡＶ（End of Active Video）を付加する。なお、図８の最下部には、このＥＡＶからＳＡＶまでの水平ブランキング期間を、この水平ブランキング期間中に生成される水平同期信号Ｈｓｙｎｃとともにアナログ的なイメージで描いている。
【０００５】
図９は、ＳＡＶ，ＥＡＶのデータ構造を示す。ＳＡＶ，ＥＡＶは、同期データＸＹの手前に、この同期データＸＹを識別するための３つの識別コードＦＦ（オール１のコード），００（オール０のコード），００を配置したものである。
【０００６】
同期データＸＹの最上位ビット（ビット９）は、固定値‘１’である。また、ビット８は、インターレース方式におけるフィールドＩＤであり、奇数フィールドでは‘０’になり、偶数フィールドでは‘１’になる。ビット７は、垂直ブランキング情報であり、垂直ブランキング期間では‘１’になり、それ以外の期間では‘０’になる。
【０００７】
ビット６は、ＳＡＶとＥＡＶとを区別するＨ情報であり、ＳＡＶでは‘０’になり、ＥＡＶでは‘１’になる。ビット５〜２は、誤り訂正用のパリティビットである。ビット１〜０は、定義されていない（８ビットの場合には存在しない）。
【０００８】
図１０は、このＩＴＵ−Ｒ６５６フォーマットのデータをＩＴＵ−Ｒ６０１フォーマットにデコードする（輝度データＹと色差データＣｂ／Ｃｒとを分離する）方法を示す。ＩＴＵ−Ｒ６５６フォーマットのデータとともに伝送される２７ＭＨｚのクロックの立ち上がりタイミングでデータを交互に振り分ければ、輝度データＹと色差データＣｂ／Ｃｒとを分離することができる。そして、ＳＡＶ中の同期データＸＹの直後には色差データＣｂが続くようになっているので、識別コードＦＦ，００，００に基づいて同期データＸＹを検出することにより、どちらが輝度データＹでどちらが色差データＣｂ／Ｃｒであるかを識別することができる。
【０００９】
なお、同期データＸＹ中のＨ情報は、例えば‘１’から‘０’に変化したタイミングでピクセルカウンタをスタートさせて所定のタイミングで水平同期信号を生成するために用いられる。また、同期データＸＹ中の垂直ブランキング情報及びフィールドＩＤは、ラインカウンタによって所定のタイミング（奇数フィールドでは水平同期信号のタイミング、偶数フィールドでは水平同期信号から２分の１水平期間経過したタイミング）で垂直同期信号を生成するために用いられる。
【００１０】
４８０ｉや５７６ｉに適用されたＩＴＵ−Ｒ６５６フォーマットのデータを入力する映像機器（例えばデジタルテレビジョン放送の受信機）では、従来から、入力したＩＴＵ−Ｒ６５６フォーマットのデータを、この図１０に示した方法でＩＴＵ−Ｒ６０１フォーマットにデコードしてから、輝度データＹや色差データＣｂ／Ｃｒに各種の映像信号処理を施している（例えば、特許文献１参照。）。
【特許文献１】特開２００２−１１２２８０号公報（段落番号００１７〜００２８、図１〜６）
【発明の開示】
【発明が解決しようとする課題】
【００１１】
ところで、ＩＴＵ−Ｒ６５６は、１０８０ｉ（５０／６０Ｈｚ），７２０ｐ（５０／６０Ｈｚ），４８０ｐ，５７６ｐというＨＤ（High Definition）信号やプログレシブ信号には現在適用されていないが、今後はこれらの信号にも適用することが望まれる。
【００１２】
しかし、ＩＴＵ−Ｒ６５６をそのままＨＤ信号やプログレシブ信号に適用することは、次の（１）〜（３）のような理由から困難である。
【００１３】
（１）例えば１０８０ｉでは輝度データＹのサンプリング周波数が７４．２５ＭＨｚなので、その２倍のレートである約１５０ＭＨｚで輝度データと色差データとが時分割多重化されることになる。したがって、ＩＴＵ−Ｒ６０１フォーマットのデータをＩＴＵ−Ｒ６５６フォーマットにエンコードするエンコーダと、このエンコーダからのＩＴＵ−Ｒ６５６フォーマットのデータをＩＴＵ−Ｒ６０１フォーマットにデコードするデコーダとの間の伝送クロックの周波数も、約１５０ＭＨｚにする必要がある。その際、伝送クロックが‘０’，‘１’と切り替わるトグル周波数は約３００ＭＨｚになるので、エンコーダとデコードとの間のインターフェース（タイミングの一致等）が非常に困難になる。
【００１４】
（２）デコーダの設計時にも、マージンとして入力クロック周波数の１．５〜２倍程度の動作速度を保障する必要があるので、１５０ＭＨｚの伝送クロックが入力する場合には３００ＭＨｚ程度の動作速度を保障しなければならなくなる。
【００１５】
（３）デコーダ内部のクロック経路に、クロック・スキューを防止するために駆動能力の高いバッファが使用される。１５０ＭＨｚの伝送クロックがこのバッファに入力した場合、バッファでの消費電流が多くなるので、デコーダの耐圧などに影響してしまう。
【００１６】
このように、ＩＴＵ−Ｒ６５６をそのままＨＤ信号やプログレシブ信号に適用することが困難な理由は、伝送クロックの周波数の高さにある。これに対し、ＩＴＵ−Ｒ６５６を基礎としつつ、伝送クロックの周波数を低くしたフォーマットとして、図１１（ａ），（ｂ）に示すようなフォーマットが考えられる。
【００１７】
これらのフォーマットは、伝送クロックを、ＩＴＵ−Ｒ６５６の２倍の周期、すなわちＩＴＵ−Ｒ６０１の輝度信号のサンプリング周波数と同じ周波数（例えば１０８０ｉでは７４．２５ＭＨｚ）にしたものであり、輝度データＹ，色差データＣｂ／Ｃｒの時分割多重化の順序やＳＡＶ，ＥＡＶの位置及びデータ構造は、図８に示したＩＴＵ−Ｒ６５６フォーマットと同じである。
【００１８】
そして、図１１（ａ）のフォーマットでは、輝度データＹ，色差データＣｂ／Ｃｒのレートはクロック周波数の２倍になっているが、ＳＡＶ，ＥＡＶのレートはクロック周波数と同じになっている。この点から、以下では図１１（ａ）のフォーマットを、「ＤＤＲ−ＳＤＲフォーマット」と呼ぶことにする。（ＤＤＲはDouble Date Rateの略、ＳＤＲはStandard Date Rateの略である。）
【００１９】
また、図１１（ｂ）のフォーマットでは、輝度データＹ，色差データＣｂ／Ｃｒのレートも、ＳＡＶ，ＥＡＶのレートも、クロック周波数の２倍になっている。この点から、以下では図１１（ｂ）のフォーマットを、「ＤＤＲ−ＤＤＲフォーマット」と呼ぶことにする。
【００２０】
このＤＤＲ−ＳＤＲフォーマットやＤＤＲ−ＤＤＲフォーマットであれば、伝送クロックの周波数を低く抑えることができるので、ＨＤ信号やプログレシブ信号に適用することが可能である。
【００２１】
しかし、これらのフォーマットのデータは、図１０に示したようにクロックの立ち上がりタイミングでデータを振り分けるような方法では、ＩＴＵ−Ｒ６０１フォーマットにデコードすることはできない。そのため、従来のデコーダでは、このＤＤＲ−ＳＤＲフォーマットやＤＤＲ−ＤＤＲフォーマットのデータをＩＴＵ−Ｒ６０１フォーマットにデコードすることはできない。
【００２２】
本発明は、上述の点に鑑み、このＤＤＲ−ＳＤＲフォーマットやＤＤＲ−ＤＤＲフォーマットのデータをＩＴＵ−Ｒ６０１フォーマットにデコードする映像デコーダ及び映像デコード方法を提供することを課題としてなされたものである。
【課題を解決するための手段】
【００２３】
この課題を解決するために、本発明に係る映像デコーダは、例えば図１１（ｂ）に示したＤＤＲ−ＤＤＲフォーマットのような、輝度データと色差データとが時分割多重化され、映像期間の開始及び終了を示す同期データと、この同期データを識別するための識別コードとが付加され、これらの輝度データ，色差データ，同期データ及び識別コードを伝送クロックの２倍のレートにしたフォーマットの映像データから、輝度データと色差データとを分離する映像デコーダにおいて、この伝送クロックの立上りタイミングでこの映像データを取り込む第１の取込み手段と、この伝送クロックの立下りタイミングでこの映像データを取り込む第２の取込み手段と、この第１の取込み手段の出力データとこの第２の取込み手段の出力データとのタイミングを揃え、これらのタイミングを揃えた信号からこの識別コードの有無を判断し、この識別コードがあったタイミングでこの同期データを検出する検出手段とを備えたことを特徴とする。
【００２４】
この映像デコーダでは、映像データが伝送クロックとともに入力されると、第１の取込み手段によってこの伝送クロックの立上りタイミングで映像データが取り込まれるとともに、第２の取込み手段によってこの伝送クロックの立下りタイミングで映像データが取り込まれる。
【００２５】
この映像データには輝度データ及び色差データが伝送クロックの２倍のレートで時分割多重化されているので、伝送クロックの立上りタイミング，立下りタイミングでそれぞれ取り込みを行うことにより、輝度データと色差データとが分離される。
【００２６】
ここで、この映像データでは同期データ及び識別コードも伝送クロックの２倍のレートで付加されていることから、第１の取込み手段及び第２の取込み手段によって同期データと識別コードとが分離されてしまうので、そのままでは識別コードに基づいて同期データを検出することはできない。
【００２７】
しかし、検出手段により、第１の取込み手段の出力データと第２の取込み手段の出力データとのタイミングが揃えられ、これらのタイミングを揃えた信号から識別コードの有無が判断され、識別コードがあったタイミングで同期データが検出される。これにより、輝度データと色差データとを分離するとともに、同期データを検出することができる。
【００２８】
なお、例えば図１１（ｂ）に示したＤＤＲ−ＤＤＲフォーマットのように、１つの同期データ（同期データＸＹ）について３つの識別コード（識別コードＦＦ，００，００）を付加されたフォーマットの映像データをデコードする場合には、検出手段は、第１の取込み手段の現在の出力データと、第１の取込み手段の１クロック前の出力データと、第２の取込み手段の現在の出力データと、第２の取込み手段の１クロック前の出力データとのタイミングを揃え、これらのタイミングを揃えた４つのデータのうちの３つのデータが識別コードであったタイミングで残りの１つのデータを同期データとして検出すればよい。
【００２９】
また、この映像デコーダにおいて、一例として、第１の取込み手段，第２の取込み手段のうちのいずれか一方の出力データのみから識別コードの有無を判断して同期データを検出する第２の検出手段をさらに備え、例えば図１１（ａ）に示したＤＤＲ−ＳＤＲフォーマットのような、輝度データと色差データとが時分割多重化され、映像期間の開始及び終了を示す同期データと、この同期データを識別するための識別コードとが付加され、これらの輝度データ及び色差データを伝送クロックの２倍のレートにするとともにこれらの同期データ及び識別コードを伝送クロックと同じレートにしたフォーマットの第２の映像データが入力した場合には、この第２の検出手段で同期データを検出することが好適である。
【００３０】
この第２の映像データは、同期データ及び識別コードは伝送クロックと同じレートで付加されているので、第１の取込み手段，第２の取込み手段のいずれによっても同期データと識別コードとが分離せずに取り込まれる。そこで、この第２の映像データが入力した場合には、この第２の検出手段により、識別コードに基づいて同期データを検出することができる。
【００３１】
これにより、例えば図１１（ａ）に示したＤＤＲ−ＳＤＲフォーマットのデータと図１１（ｂ）に示したＤＤＲ−ＤＤＲフォーマットのデータとのいずれが入力した場合にも、輝度データと色差データとを分離するとともに、同期データを検出することができる。
【００３２】
次に、本発明に係る映像デコード方法は、例えば図１１（ｂ）に示したＤＤＲ−ＤＤＲフォーマットのような、輝度データと色差データとが時分割多重化され、映像期間の開始及び終了を示す同期データと、この同期データを識別するための識別コードとが付加され、これらの輝度データ，色差データ，同期データ及び識別コードを伝送クロックの２倍のレートにしたフォーマットの映像データから、輝度データと色差データとを分離する映像デコード方法において、この映像データとともに入力される伝送クロックの立ち上がりタイミングでこの映像データを取り込む第１の取込みステップと、この伝送クロックの立下りタイミングでこの映像データを取り込む第２の取込みステップと、この第１の取込みステップで取り込んだ信号とこの第２の取込みステップで取り込んだ信号とのタイミングを揃え、これらのタイミングを揃えた信号からこの識別コードの有無を判断し、この識別コードがあったタイミングでこの同期データを検出する検出ステップとを有することを特徴とする。
【００３３】
この映像デコード方法では、映像データが伝送クロックとともに入力されると、第１の取込みステップにおいてこの伝送クロックの立上りタイミングで映像データが取り込まれるとともに、第２の取込みステップにおいてこの伝送クロックの立下りタイミングで映像データが取り込まれる。
【００３４】
この映像データには輝度データ及び色差データが伝送クロックの２倍のレートで時分割多重化されているので、伝送クロックの立上りタイミング，立下りタイミングでそれぞれ取り込みを行うことにより、輝度データと色差データとが分離される。
【００３５】
また、この映像データでは同期データ及び識別コードも伝送クロックの２倍のレートで付加されていることから、第１の取込みステップ及び第２の取込みステップによって同期データと識別コードとが分離されてしまうので、そのままでは識別コードに基づいて同期データを検出することはできない。しかし、検出ステップにおいて、第１の取込みステップで取り込んだ信号と第２の取込みステップで取り込んだ信号とのタイミングを揃え、これらのタイミングを揃えた信号から識別コードの有無を判断し、識別コードがあったタイミングで同期データを検出する。
【００３６】
これにより、輝度データと色差データとを分離するとともに、同期データを検出することができる。
【発明の効果】
【００３７】
本発明によれば、ＩＴＵ−Ｒ６５６を基礎としつつ、輝度データ，色差データ，同期データ及び識別コードを伝送クロックの２倍のレートにしたようなフォーマットの映像データから、輝度データと色差データとを分離するとともに、同期データを検出することができるという効果が得られる。
【００３８】
また、ＩＴＵ−Ｒ６５６を基礎としつつ、輝度データ，色差データ，同期データ及び識別コードを伝送クロックの２倍のレートにしたようなフォーマットの映像データと、ＩＴＵ−Ｒ６５６を基礎としつつ、輝度データ及び色差データを伝送クロックの２倍のレートにするとともに同期データ及び識別コードを伝送クロックと同じレートにしたフォーマットの映像データとのいずれが入力した場合にも、輝度データと色差データとを分離するとともに、同期データを検出することができるという効果も得られる。
【発明を実施するための最良の形態】
【００３９】
以下、図１１に示したＤＤＲ−ＤＤＲフォーマットやＤＤＲ−ＳＤＲフォーマットのデータをＩＴＵ−Ｒ６０１フォーマットにデコードするために本発明を適用した例について、図面を用いて具体的に説明する。
【００４０】
図１は、本発明を適用したデコーダの構成例を示すブロック図である。このデコーダは、ＤＤＲ−ＤＤＲフォーマットのデータと、ＤＤＲ−ＳＤＲフォーマットのデータと、ＩＴＵ−Ｒ６５６フォーマット（図８）のデータとのいずれをもデコードするためのものである。
【００４１】
外部から伝送クロックとともにこのデコーダに供給された映像データが、２つのフリップ・フロップ１，２に入力する。また、伝送クロックは、フリップ・フロップ１に入力するとともに、インバータ３によって反転されてフリップ・フロップ２に入力する。
【００４２】
フリップ・フロップ１，２は、それぞれ入力データを入力クロックの立ち上がりのタイミングでラッチする。したがって、フリップ・フロップ１は入力データを伝送クロックの立ち上がりのタイミングでラッチし、フリップ・フロップ２は入力データを伝送クロックの立ち下がりのタイミングでラッチすることになる。
【００４３】
フリップ・フロップ１の出力データは、６５６用ＳＡＶ・ＥＡＶ検出回路４及びＹＣ分離回路５に送られるとともに、ＤＤＲ−ＤＤＲ用ＳＡＶ・ＥＡＶ検出回路７の入力端子Ｒ_ＩＮに送られる。
【００４４】
フリップ・フロップ２の出力データは、遅延回路６に輝度データＹとして送られるとともに、ＤＤＲ−ＤＤＲ用ＳＡＶ・ＥＡＶ検出回路７の入力端子Ｆ_ＩＮに送られる。
【００４５】
６５６用ＳＡＶ・ＥＡＶ検出回路４は、ＩＴＵ−Ｒ６５６フォーマットのデータからＳＡＶ，ＥＡＶ（図９）を検出する回路である。この６５６用ＳＡＶ・ＥＡＶ検出回路４の構成は、ＩＴＵ−Ｒ６５６フォーマットのデータをデコードする既存のデコーダ内のＳＡＶ・ＥＡＶ検出回路と同じであってよいので、その詳細説明は省略する。６５６用ＳＡＶ・ＥＡＶ検出回路４で検出されたＳＡＶ，ＥＡＶは、２入力１出力のセレクタ９の一方の入力端子に入力する。
【００４６】
ＹＣ分離回路５は、ＩＴＵ−Ｒ６５６フォーマットのデータから輝度データＹと色差データとを分離する回路である。図２は、このＹＣ分離回路の構成を示すブロック図である。フリップ・フロップ１（図１）の出力データが、遅延回路１１（図１の６５６用ＳＡＶ・ＥＡＶ検出回路４，ＤＤＲ−ＤＤＲ用ＳＡＶ・ＥＡＶ検出回路７やタイミング情報・同期信号生成回路１０との遅延合せのための回路）を経て、Ｙ分離部１２及びＣ分離部１３に入力する。
【００４７】
また、図１のタイミング情報・同期信号生成回路１０からは、後述するように、ＩＴＵ−Ｒ６５６フォーマットにおける輝度データＹ，色差データＣｂ／Ｃｒのタイミングでそれぞれ‘１’，‘０’となるＨタイミング情報がＹＣ分離回路５に送られる。このＨタイミング情報は、２入力１出力のセレクタ１４の一方の入力端子に入力し、セレクタ１４のもう一方の入力端子には固定値‘０’が入力する。セレクタ１４は、図示しない上位のコントローラ（例えば、図１のデコーダがテレビジョン受像機内に設けられている場合には、そのテレビジョン受像機内の各部を制御するコントローラ）によって制御される。セレクタ１４の出力はＹ分離部１２及びＣ分離部１３に制御信号として与えられる。
【００４８】
また、このタイミング情報・同期信号生成回路１０からは、後述するように、ブランキング期間（ＥＡＶからＳＡＶまでの期間）と映像期間とを識別するブランキング情報もＹＣ分離回路５に送られてＹ分離部１２及びＣ分離部１３に与えられる。
【００４９】
Ｙ分離部１２は、この制御信号が‘１’であり且つブランキング情報が映像期間を示している場合にのみ入力データをそのまま出力し、それ以外の場合にはデータを出力しない。Ｙ分離部１２の出力データは、ＹＣ分離回路５から輝度データＹとして出力され、図１に示すように２入力１出力のセレクタ８の一方の入力端子に入力する。
【００５０】
Ｃ分離部１３は、この制御信号が‘０’であり且つブランキング情報が映像期間を示している場合にのみ入力データをそのまま出力し、それ以外の場合にはデータを出力しない。Ｃ分離部１３の出力データは、遅延回路１５でＹ分離部１２の出力データとのタイミングを合わされた後、ＹＣ分離回路５から出力され、このデコーダから色差データＣｂ／Ｃｒとして出力される。
【００５１】
図１の遅延回路６は、フリップ・フロップ２からの輝度データＹを、ＹＣ分離回路５から色差データＣｂ／Ｃｒとタイミングを合せて出力するためのものであり、イネーブル端子付きのラッチ回路等から成っている。このラッチ回路にも、タイミング情報・同期信号生成回路１０からブランキングタイミング情報が与えられ、ブランキング情報が映像期間を示している場合にのみ入力データをラッチする。遅延回路６から出力した輝度データＹは、セレクタ８のもう一方の入力端子に入力する。セレクタ８は前述の上位コントローラによって制御され、セレクタ８の出力は輝度データＹとしてこのデコーダから出力される。
【００５２】
ＤＤＲ−ＤＤＲ用ＳＡＶ・ＥＡＶ検出回路７は、ＤＤＲ−ＤＤＲフォーマット（図１１（ｂ））のデータからＳＡＶ及びＥＡＶを検出する回路である。図３は、このＤＤＲ−ＤＤＲ用ＳＡＶ・ＥＡＶ検出回路７の構成を示すブロック図である。入力端子Ｒ_ＩＮへの入力データが、フリップ・フロップ２１によって伝送クロックの立ち上がりタイミングでラッチされる。また、入力端子Ｆ_ＩＮへの入力データが、フリップ・フロップ２２によって伝送クロックの立ち上がりタイミングでラッチされる。
【００５３】
フリップ・フロップ２１の出力データｒ_ｉｎ_ｚ１は、フリップ・フロップ２３によって伝送クロックの立ち上がりタイミングでラッチされるとともに、判別回路２５に送られる。また、フリップ・フロップ２２の出力データｆ_ｉｎ_ｚ１は、フリップ・フロップ２４によって伝送クロックの立ち上がりタイミングでラッチされるとともに、ラッチ回路２６に入力される。
【００５４】
フリップ・フロップ２３の出力データｒ_ｉｎ_ｚ２と、フリップ・フロップ２４の出力データｆ_ｉｎ_ｚ２は、判別回路２５に送られる。判別回路２５は、データｒ_ｉｎ_ｚ１＝００（オール０のコード）、ｒ_ｉｎ_ｚ２＝ＦＦ（オール１のコード）、データｆ_ｉｎ_ｚ２＝００という条件が満たされるか否かを判別し、この条件が満たされる場合にのみ、ラッチ回路２６にイネーブル信号を与える。ラッチ回路２６の出力データは、ＤＤＲ−ＤＤＲ用ＳＡＶ・ＥＡＶ検出回路７からＳＡＶ，ＥＡＶとして出力され、図１のセレクタ９のもう一方の入力端子に入力する。セレクタ９は前述の上位コントローラによって制御され、セレクタ９の出力はタイミング情報・同期信号生成回路１０に供給される。
【００５５】
タイミング情報・同期信号生成回路１０は、供給されたＳＡＶ，ＥＡＶから、ＳＡＶ中の同期データＸＹの直後に色差データＣｂが続く（図１０）ことを利用して、伝送クロックの２分の１の周波数の、輝度データＹ，色差データＣｂ／Ｃｒのタイミングでそれぞれ‘１’，‘０’となるＨタイミング情報を生成する。前述のように、このＨタイミング情報はＹＣ分離回路５に送られる（図１では、このＨタイミング情報を送る信号線の図示を省略している）。
【００５６】
また、タイミング情報・同期信号生成回路１０は、供給されたＳＡＶ，ＥＡＶから、ブランキング期間（ＥＡＶからＳＡＶまでの期間）と映像期間とを識別するブランキング情報を生成する。前述のように、このブランキング情報はＹＣ分離回路５及び遅延回路６に送られる（図１では、このブランキング情報を送る信号線の図示を省略している）。
【００５７】
また、タイミング情報・同期信号生成回路１０は、ＳＡＶ，ＥＡＶの同期データＸＹ中のＨ情報（図９）が‘１’から‘０’に変化したタイミングでピクセルカウンタをスタートさせて、所定のタイミングで水平同期信号Ｈｓｙｎｃを生成する。
【００５８】
また、タイミング情報・同期信号生成回路１０は、この同期データＸＹ中の垂直ブランキング情報及びフィールドＩＤ（図９）を用いて、ラインカウンタによって所定のタイミング（奇数フィールドでは水平同期信号のタイミング、偶数フィールドでは水平同期信号から２分の１水平期間経過したタイミング）で垂直同期信号Ｖｓｙｎｃを生成する。
【００５９】
タイミング情報・同期信号生成回路１０によって生成された水平同期信号Ｈｓｙｎｃ，垂直同期信号Ｖｓｙｎｃは、輝度データＹ，色差データＣｂ／Ｃｒとともにこのデコーダから出力される。
【００６０】
なお、このタイミング情報・同期信号生成回路１０の構成は、ＩＴＵ−Ｒ６５６フォーマットのデータをデコードする既存のデコーダ内でこれらのタイミング情報や同期信号を生成する回路と同じであってよいので、その詳細説明は省略する。
【００６１】
次に、このデコーダにおいてＤＤＲ−ＤＤＲフォーマットのデータ，ＤＤＲ−ＳＤＲフォーマットのデータ，ＩＴＵ−Ｒ６５６フォーマットのデータがデコードされる様子をそれぞれ説明する。
【００６２】
〔ＤＤＲ−ＤＤＲフォーマットのデータのデコード〕
まず、図１１（ｂ）に示したＤＤＲ−ＤＤＲフォーマットのデータをデコードする様子を説明する。このデコーダにＤＤＲ−ＤＤＲフォーマットのデータが伝送クロック（例えば１０８０ｉでは７４．２５ＭＨｚのクロック）とともに入力すると、図４に示すように、フリップ・フロップ１によってこの伝送クロックの立上りタイミングでデータが取り込まれるとともに、インバータ３及びフリップ・フロップ２によってこの伝送クロックの立下りタイミングでデータが取り込まれる。
【００６３】
ＤＤＲ−ＤＤＲフォーマットのデータには輝度データＹ及び色差データＣｂ／Ｃｒが伝送クロックの２倍のレートで時分割多重化されているので、伝送クロックの立上りタイミングで取り込みを行うことによって色差データＣｂ／Ｃｒが分離され、伝送クロックの立下りタイミングで取り込みを行うことによって輝度データＹが分離される。
【００６４】
ここで、ＤＤＲ−ＤＤＲフォーマットのデータでは同期データＸＹ及び識別コード００，ＦＦ，００も伝送クロックの２倍のレートで付加されていることから、図４に示すように、フリップ・フロップ１及びフリップ・フロップ２によって同期データＸＹと識別コード００，ＦＦ，００とが分離されてしまうので、そのままでは識別コード００，ＦＦ，００に基づいて同期データＸＹを検出することはできない。
【００６５】
しかし、図５に示すように、ＤＤＲ−ＤＤＲ用ＳＡＶ・ＥＡＶ検出回路７により、フリップ・フロップ１の現在の出力データと、フリップ・フロップ１の１クロック前の出力データと、フリップ・フロップ２の現在の出力データと、フリップ・フロップ２の１クロック前の出力データとのタイミングが揃えられ、これらのタイミングを揃えた４つのデータのうちの３つのデータ（データｒ_ｉｎ_ｚ１，ｒ_ｉｎ_ｚ２及びｆ_ｉｎ_ｚ２）が識別コード００，ＦＦ，００であったタイミングで残りの１つのデータ（ｆ_ｉｎ_ｚ１）が同期データＸＹとして検出される。これにより、輝度データＹと色差データＣｂ／Ｃｒとを分離するとともに、同期データＸＹを検出することができる。
【００６６】
なお、このデコーダにＤＤＲ−ＤＤＲフォーマットのデータが入力する場合には、上位コントローラの制御により、ＹＣ分離回路５内のセレクタ１４では固定値‘０’が選択され、セレクタ８では遅延回路６の出力が選択され、セレクタ９ではＤＤＲ−ＤＤＲ用ＳＡＶ・ＥＡＶ検出回路７の出力が選択される。
【００６７】
したがって、この場合には、フリップ・フロップ１で分離された色差データＣｂ／Ｃｒが、ブランキング期間を除き、ＹＣ分離回路５を経てこのデコーダから出力されるとともに、フリップ・フロップ２で分離された輝度データＹが、ブランキング期間を除き、遅延回路６及びセレクタ８を経てこのデコーダから出力される。
【００６８】
〔ＤＤＲ−ＳＤＲフォーマットのデータのデコード〕
次に、図１１（ａ）に示したＤＤＲ−ＳＤＲフォーマットのデータをデコードする様子を説明する。このデコーダにＤＤＲ−ＳＤＲフォーマットのデータが伝送クロック（例えば１０８０ｉでは７４．２５ＭＨｚのクロック）とともに入力すると、図６に示すように、フリップ・フロップ１によってこの伝送クロックの立上りタイミングでデータが取り込まれるとともに、インバータ３及びフリップ・フロップ２によってこの伝送クロックの立下りタイミングでデータが取り込まれる。
【００６９】
ＤＤＲ−ＳＤＲフォーマットのデータには輝度データＹ及び色差データＣｂ／Ｃｒが伝送クロックの２倍のレートで時分割多重化されているので、伝送クロックの立上りタイミングで取り込みを行うことによって色差データＣｂ／Ｃｒが分離され、伝送クロックの立下りタイミングで取り込みを行うことによって輝度データＹが分離される。
【００７０】
ここで、ＤＤＲ−ＳＤＲフォーマットのデータでは同期データＸＹ及び識別コード００，ＦＦ，００は伝送クロックと同じレートで付加されていることから、図６に示すように、フリップ・フロップ１，フリップ・フロップ２のいずれによっても同期データＸＹと識別コード００，ＦＦ，００とが分離せずに取り込まれる。このように、同期データＸＹと識別コード００，ＦＦ，００とが分離せずに取り込まれる点に関しては、ＤＤＲ−ＳＤＲフォーマットはＩＴＵ−Ｒ６５６フォーマットと同じである。したがって、６５６用ＳＡＶ・ＥＡＶ検出回路４により、識別コード００，ＦＦ，００に基づいて同期データＸＹを検出することができる。
【００７１】
なお、このデコーダにＤＤＲ−ＳＤＲフォーマットのデータが入力する場合には、上位コントローラの制御により、ＹＣ分離回路５内のセレクタ１４では固定値‘０’が選択され、セレクタ８では遅延回路６の出力が選択され、セレクタ９では６５６用ＳＡＶ・ＥＡＶ検出回路４の出力が選択される。
【００７２】
したがって、この場合には、フリップ・フロップ１で分離された色差データＣｂ／Ｃｒが、ブランキング期間を除き、ＹＣ分離回路５を経てこのデコーダから出力されるとともに、フリップ・フロップ２で分離された輝度データＹが、ブランキング期間を除き、遅延回路６及びセレクタ８を経てこのデコーダから出力される。
【００７３】
〔ＩＴＵ−Ｒ６５６フォーマットのデータのデコード〕
最後に、ＩＴＵ−Ｒ６５６フォーマット（図８）のデータをデコードする様子を説明する。このデコーダにＩＴＵ−Ｒ６５６フォーマットのデータが伝送クロックとともに入力すると、図７に示すように、フリップ・フロップ１によってこの伝送クロックの立上りタイミングでデータが取り込まれるとともに、インバータ３及びフリップ・フロップ２によってこの伝送クロックの立下りタイミングでデータが取り込まれる。
【００７４】
ＩＴＵ−Ｒ６５６フォーマットのデータには輝度データＹ及び色差データＣｂ／Ｃｒが伝送クロックと同じレートで時分割多重化されているので、伝送クロックの立上りタイミング，立下りタイミングでそれぞれ取り込みを行っても、輝度データＹと色差データＣｂ／Ｃｒとは分離されない。
【００７５】
この場合には、上位コントローラの制御により、ＹＣ分離回路５内のセレクタ１４ではＨタイミング情報が選択され、セレクタ８ではＹＣ分離回路５の出力が選択され、セレクタ９では６５６用ＳＡＶ・ＥＡＶ検出回路４の出力が選択される。
【００７６】
したがって、この場合には、ブランキング期間を除き、ＹＣ分離回路５によって輝度データＹと色差データＣｂ／Ｃｒとが分離され、その色差データＣｂ／Ｃｒがこのデコーダから出力されるとともに、その輝度データＹがセレクタ８を経てこのデコーダから出力される。
【００７７】
以上のようにして、このデコーダでは、ＤＤＲ−ＤＤＲフォーマットのデータ，ＤＤＲ−ＳＤＲフォーマットのデータ，ＩＴＵ−Ｒ６５６フォーマットのデータのいずれが入力しても、そのデータをＩＴＵ−Ｒ６０１フォーマットにデコードする（輝度データＹと色差データＣｂ／Ｃｒとを分離するとともに、ＳＡＶ，ＥＡＶを検出する）ことができる。
【００７８】
なお、以上の例では、ＤＤＲ−ＤＤＲフォーマットのデータ，ＤＤＲ−ＳＤＲフォーマットのデータ，ＩＴＵ−Ｒ６５６フォーマットのデータのいずれをもデコードできるようにしている。しかし、別の例として、ＤＤＲ−ＤＤＲフォーマットのデータ及びＤＤＲ−ＳＤＲフォーマットのデータのみをデコードできるようにしてもよい。その場合には、図１のセレクタ８と図２のＹＣ分離回路５内のＹ分離部１２，セレクタ１４とを省略する（Ｃ分離部１３には、ブランキング情報が映像期間を示していない場合以外は常に入力データをそのまま出力させる）ようにすればよい。
【００７９】
あるいはまた、ＤＤＲ−ＤＤＲフォーマットのデータのみをデコードできるようにしてもよい。その場合には、図１の６５６用ＳＡＶ・ＥＡＶ検出回路４，セレクタ８及びセレクタ９と図２のＹＣ分離回路５内のＹ分離部１２，セレクタ１４とを省略する（Ｃ分離部１３には、ブランキング情報が映像期間を示していない場合以外は常に入力データをそのまま出力させる）ようにすればよい。
【００８０】
また、以上の例では、６５６用ＳＡＶ・ＥＡＶ検出回路４やＤＤＲ−ＤＤＲ用ＳＡＶ・ＥＡＶ検出回路７で検出されたＳＡＶ，ＥＡＶの同期データＸＹから、タイミング情報・同期信号生成回路１０で水平同期信号Ｈｓｙｎｃ，垂直同期信号Ｖｓｙｎｃを生成している。しかし、外部から供給される水平同期信号，垂直同期信号をそのまま用いるような場合は、同期データＸＹからは水平同期信号，垂直同期信号を生成しない（ＳＡＶ，ＥＡＶはＨタイミング情報やブランキング情報の生成のためにのみ用いる）ようにしてもよい。
【００８１】
また、以上の例では、図１１に示したＤＤＲ−ＤＤＲフォーマットやＤＤＲ−ＳＤＲフォーマットという、ＩＴＵ−Ｒ６５６を基礎としつつ、輝度データ，色差データ，同期データ及び識別コードを伝送クロックの２倍のレートにしたり、輝度データ及び色差データを伝送クロックの２倍のレートにするとともに同期データ及び識別コードを伝送クロックと同じレートにしたフォーマットのデータをＩＴＵ−Ｒ６０１フォーマットにデコードするために本発明を適用している。
【００８２】
しかし、これ以外のデータであって、輝度データ，色差データ，同期データ及び識別コードを伝送クロックの２倍のレートにしたり、輝度データ及び色差データを伝送クロックの２倍のレートにするとともに同期データ及び識別コードを伝送クロックと同じレートにしたフォーマットのデータから、輝度データと前記色差データとを分離するために本発明を適用してもよい。
【図面の簡単な説明】
【００８３】
【図１】本発明を適用したデコーダの構成例を示すブロック図である。
【図２】図１のＹＣ分離回路の構成を示すブロック図である。
【図３】図１のＤＤＲ−ＤＤＲ用ＳＡＶ・ＥＡＶ検出回路７の構成を示すブロック図である。
【図４】ＤＤＲ−ＤＤＲフォーマットのデータが入力したときの図１のデコーダの動作を示す図である。
【図５】ＤＤＲ−ＤＤＲフォーマットのデータが入力したときの図１のデコーダの動作を示す図である。
【図６】ＤＤＲ−ＳＤＲフォーマットのデータが入力したときの図１のデコーダの動作を示す図である。
【図７】ＩＴＵ−Ｒ６５６フォーマットのデータが入力したときの図１のデコーダの動作を示す図である。
【図８】ＩＴＵ−Ｒ６５６のフォーマットを示す図である。
【図９】ＩＴＵ−Ｒ６５６フォーマットのＳＡＶ，ＥＡＶのデータ構造を示す図である。
【図１０】ＩＴＵ−Ｒ６５６フォーマットのデータのデコード方法を示す図である。
【図１１】ＤＤＲ−ＤＤＲフォーマット及びＤＤＲ−ＳＤＲフォーマットを示す図である。
【符号の説明】
【００８４】
１      フリップ・フロップ
２      フリップ・フロップ
３      インバータ
４      ６５６用ＳＡＶ・ＥＡＶ検出回路
５      ＹＣ分離回路
６      遅延回路
７      ＤＤＲ−ＤＤＲ用ＳＡＶ・ＥＡＶ検出回路
８      セレクタ
９      セレクタ
１０    タイミング情報・同期信号生成回路
２１    フリップ・フロップ
２２    フリップ・フロップ
２３    フリップ・フロップ
２４    フリップ・フロップ
２５    判別回路
２６    ラッチ回路
【図１】
2005354186.tif 000003
【図２】
2005354186.tif 000004
【図３】
2005354186.tif 000005
【図４】
2005354186.tif 000006
【図５】
2005354186.tif 000007
【図６】
2005354186.tif 000008
【図７】
2005354186.tif 000009
【図８】
2005354186.tif 000010
【図９】
2005354186.tif 000011
【図１０】
2005354186.tif 000012
【図１１】
2005354186.tif 000013
【手続補正書】
【提出日】平成17年4月19日(2005.4.19)
【手続補正１】
【補正対象書類名】特許請求の範囲
【補正対象項目名】全文
【補正方法】変更
【補正の内容】
【特許請求の範囲】
【請求項１】
輝度データと色差データとが時分割多重化され、映像期間の開始及び終了を示す同期データと、前記同期データを識別するための識別コードとが、伝送クロックの数倍のレートで付加されたフォーマットの映像データから、前記輝度データと前記色差データとを分離する映像デコーダにおいて、
前記映像データとともに入力される伝送クロックの立ち上がりタイミングで前記映像データを取り込む第１の取込み手段と、
前記伝送クロックの立下りタイミングで前記映像データを取り込む第２の取込み手段と、
前記第１の取込み手段の出力データと前記第２の取込み手段の出力データとのタイミングを揃え、該タイミングを揃えた信号から前記識別コードの有無を判断し、前記識別コードが有ったタイミングで前記同期データを検出する検出手段と
を備えたことを特徴とする映像デコーダ。
【請求項２】
請求項１に記載の映像デコーダにおいて、
前記映像データは、１つの前記同期データについて前記識別コードを３つ付加されており、
前記検出手段は、前記第１の取込み手段の現在の出力データと、前記第１の取込み手段の１クロック前の出力データと、前記第２の取込み手段の現在の出力データと、前記第２の取込み手段の１クロック前の出力データとのタイミングを揃え、該タイミングを揃えた４つのデータのうちの３つのデータとして前記識別コードが有ったタイミングで残りの１つのデータを前記同期データとして検出する
ことを特徴とする映像デコーダ。
【請求項３】
請求項１に記載の映像デコーダにおいて、
前記映像データは、ＩＴＵ−Ｒ６５６を基礎としつつ、前記輝度データ，前記色差データ，前記同期データ及び前記識別コードを伝送クロックの２倍のレートにしたフォーマットの映像データであることを特徴とする映像デコーダ。
【請求項４】
請求項１に記載の映像デコーダにおいて、
前記第１の取込み手段，前記第２の取込み手段のうちのいずれか一方の出力データのみから前記同期データを検出する第２の検出手段
をさらに備え、
輝度データと色差データとが時分割多重化され、映像期間の開始及び終了を示す同期データと、前記同期データを識別するための識別コードとが付加され、前記輝度データ及び前記色差データを伝送クロックの２倍のレートにするとともに前記同期データ及び前記識別コードを伝送クロックと同じレートにしたフォーマットの第２の映像データが入力した場合には、前記第２の検出手段で前記同期データを検出することを特徴とする映像デコーダ。
【請求項５】
請求項４に記載の映像デコーダにおいて、
前記第２の映像データは、ＩＴＵ−Ｒ６５６を基礎としつつ、前記輝度データ及び前記色差データを伝送クロックの２倍のレートにするとともに前記同期データ及び前記識別コードを伝送クロックと同じレートにしたフォーマットの映像データであることを特徴とする映像デコーダ。
【請求項６】
輝度データと色差データとが時分割多重化され、映像期間の開始及び終了を示す同期データと、前記同期データを識別するための識別コードとが、伝送クロックの数倍のレートで付加されたフォーマットの映像データから、前記輝度データと前記色差データとを分離する映像デコード方法において、
前記映像データとともに入力される伝送クロックの立ち上がりタイミングで前記映像データを取り込む第１の取込みステップと、
前記伝送クロックの立下りタイミングで前記映像データを取り込む第２の取込みステップと、
前記第１の取込みステップで取り込んだ信号と前記第２の取込みステップで取り込んだ信号とのタイミングを揃え、該タイミングを揃えた信号から前記識別コードの有無を判断し、前記識別コードが有ったタイミングで前記同期データを検出する検出ステップと
を有することを特徴とする映像デコード方法。
【請求項７】
請求項６に記載の映像デコード方法において、
前記映像データは、１つの前記同期データについて前記識別コードを３つ付加されており、
前記第３ステップで、前記第１の取込みステップで現在取り込んでいる信号と、前記第１の取込みステップで１クロック前に取り込んだ信号と、前記第２の取込みステップで現在取り込んでいる信号と、前記第２の取込みステップで１クロック前に取り込んだ信号とのタイミングを揃え、該タイミングを揃えた４つのデータのうちの３つのデータとして前記識別コードが有ったタイミングで残りの１つのデータを前記同期データとして検出する
ことを特徴とする映像デコード方法。
【請求項８】
請求項６に記載の映像デコード方法において、
前記映像データは、ＩＴＵ−Ｒ６５６を基礎としつつ、前記輝度データ，前記色差データ，前記同期データ及び前記識別コードを伝送クロックの２倍のレートにしたフォーマットの映像データであることを特徴とする映像デコード方法。
【請求項９】
請求項６に記載の映像デコード方法において、
前記第１の取込みステップ，前記第２の取込みステップのうちのいずれか一方のみで取り込んだ信号のみから前記同期データを検出する第２の検出ステップ
をさらに有し、
輝度データと色差データとが時分割多重化され、映像期間の開始及び終了を示す同期データと、前記同期データを識別するための識別コードとが付加され、前記輝度データ及び前記色差データを伝送クロックの２倍のレートにするとともに前記同期データ及び前記識別コードを伝送クロックと同じレートにしたフォーマットの第２の映像データが入力した場合には、前記第２の検出ステップで前記同期データを検出することを特徴とする映像デコード方法。
【請求項１０】
請求項９に記載の映像デコード方法において、
前記第２の映像データは、ＩＴＵ−Ｒ６５６を基礎としつつ、前記輝度データ及び前記色差データを伝送クロックの２倍のレートにするとともに前記同期データ及び前記識別コードを伝送クロックと同じレートにしたフォーマットの映像データであることを特徴とする映像デコード方法。
【手続補正２】
【補正対象書類名】明細書
【補正対象項目名】００２３
【補正方法】変更
【補正の内容】
【００２３】
この課題を解決するために、本発明に係る映像デコーダは、例えば図１１（ｂ）に示したＤＤＲ−ＤＤＲフォーマットのような、輝度データと色差データとが時分割多重化され、映像期間の開始及び終了を示す同期データと、この同期データを識別するための識別コードとが、伝送クロックの数倍のレートで付加されたフォーマットの映像データから、輝度データと色差データとを分離する映像デコーダにおいて、この伝送クロックの立上りタイミングでこの映像データを取り込む第１の取込み手段と、この伝送クロックの立下りタイミングでこの映像データを取り込む第２の取込み手段と、この第１の取込み手段の出力データとこの第２の取込み手段の出力データとのタイミングを揃え、これらのタイミングを揃えた信号からこの識別コードの有無を判断し、この識別コードが有ったタイミングでこの同期データを検出する検出手段とを備えたことを特徴とする。
【手続補正３】
【補正対象書類名】明細書
【補正対象項目名】００２５
【補正方法】変更
【補正の内容】
【００２５】
この映像データには輝度データ及び色差データが伝送クロックの数倍のレートで時分割多重化されているので、伝送クロックの立上りタイミング，立下りタイミングでそれぞれ取り込みを行うことにより、輝度データと色差データとが分離される。
【手続補正４】
【補正対象書類名】明細書
【補正対象項目名】００２６
【補正方法】変更
【補正の内容】
【００２６】
ここで、この映像データでは同期データ及び識別コードも伝送クロックの数倍のレートで付加されていることから、第１の取込み手段及び第２の取込み手段によって同期データと識別コードとが分離されてしまうので、そのままでは識別コードに基づいて同期データを検出することはできない。
【手続補正５】
【補正対象書類名】明細書
【補正対象項目名】００２７
【補正方法】変更
【補正の内容】
【００２７】
しかし、検出手段により、第１の取込み手段の出力データと第２の取込み手段の出力データとのタイミングが揃えられ、これらのタイミングを揃えた信号から識別コードの有無が判断され、識別コードが有ったタイミングで同期データが検出される。これにより、輝度データと色差データとを分離するとともに、同期データを検出することができる。
【手続補正６】
【補正対象書類名】明細書
【補正対象項目名】００２８
【補正方法】変更
【補正の内容】
【００２８】
なお、例えば図１１（ｂ）に示したＤＤＲ−ＤＤＲフォーマットのように、１つの同期データ（同期データＸＹ）について３つの識別コード（識別コードＦＦ，００，００）を付加されたフォーマットの映像データをデコードする場合には、検出手段は、第１の取込み手段の現在の出力データと、第１の取込み手段の１クロック前の出力データと、第２の取込み手段の現在の出力データと、第２の取込み手段の１クロック前の出力データとのタイミングを揃え、これらのタイミングを揃えた４つのデータのうちの３つのデータとして識別コードが有ったタイミングで残りの１つのデータを同期データとして検出すればよい。
【手続補正７】
【補正対象書類名】明細書
【補正対象項目名】００３２
【補正方法】変更
【補正の内容】
【００３２】
次に、本発明に係る映像デコード方法は、例えば図１１（ｂ）に示したＤＤＲ−ＤＤＲフォーマットのような、輝度データと色差データとが時分割多重化され、映像期間の開始及び終了を示す同期データと、この同期データを識別するための識別コードとが、伝送クロックの数倍のレートで付加されたフォーマットの映像データから、輝度データと色差データとを分離する映像デコード方法において、この映像データとともに入力される伝送クロックの立ち上がりタイミングでこの映像データを取り込む第１の取込みステップと、この伝送クロックの立下りタイミングでこの映像データを取り込む第２の取込みステップと、この第１の取込みステップで取り込んだ信号とこの第２の取込みステップで取り込んだ信号とのタイミングを揃え、これらのタイミングを揃えた信号からこの識別コードの有無を判断し、この識別コードが有ったタイミングでこの同期データを検出する検出ステップとを有することを特徴とする。
【手続補正８】
【補正対象書類名】明細書
【補正対象項目名】００３４
【補正方法】変更
【補正の内容】
【００３４】
この映像データには輝度データ及び色差データが伝送クロックの数倍のレートで時分割多重化されているので、伝送クロックの立上りタイミング，立下りタイミングでそれぞれ取り込みを行うことにより、輝度データと色差データとが分離される。
【手続補正９】
【補正対象書類名】明細書
【補正対象項目名】００３５
【補正方法】変更
【補正の内容】
【００３５】
また、この映像データでは同期データ及び識別コードも伝送クロックの数倍のレートで付加されていることから、第１の取込みステップ及び第２の取込みステップによって同期データと識別コードとが分離されてしまうので、そのままでは識別コードに基づいて同期データを検出することはできない。しかし、検出ステップにおいて、第１の取込みステップで取り込んだ信号と第２の取込みステップで取り込んだ信号とのタイミングを揃え、これらのタイミングを揃えた信号から識別コードの有無を判断し、識別コードが有ったタイミングで同期データを検出する。